(57)【要約】【課題】  「複数枚取り」を防止し、積み重ねられた板状基材から一枚ずつ板状基材を確実に取り出し搬送供給できる板状基材供給装置を提供すること。【解決手段】  シリンダ４を下降させパッド５により最上部の板状基材を吸着すると共にシリンダ７を下降させ段積みされた板状基材を上部より押圧する。そして、図２の（ｂ）に示すようにシリンダ４を上昇させると同時にリンク機構によりレバー２が板状基材の先端部を下方内側へ押圧する。この際、図２の（ｃ）、（ｄ）に示すように最上部の板状基材の裏側に張り付いている板状基材を剥離すると共にシリンダスイッチ３にて保持枚数が一枚、つまりスイッチオンの状態のままであることを検知して、制御装置１１によりシリンダ１を引き戻すことによって板状基材の先端部の押圧を開放し、シリンダ７を上昇させ板状基材全体を吊り上げ搬送する。【選択図】図２
2007238186.tif 000002
【特許請求の範囲】
【請求項１】
積み重ねられた複数の板状基材の最上部の板状基材に対し上方から吸着して吊り上げ、搬送供給する板状基材供給装置であって、
前記板状基材の先端の少なくとも一箇所以上を吸着し吊り上げる先端部吸着吊り上げ機構と、
前記先端部吸着吊り上げ機構により吊り上げられた前記板状基材の先端を押圧する先端部押圧機構と、
前記先端部吸着吊り上げ機構により吊り上げられた前記板状基材の先端を前記先端部押圧機構により押圧したときの反発力をもとに、先端が吸着され吊り上げられている前記板状基材の状態が「複数枚取り」の状態であるか否かを判定し、前記判定結果に応じ、前記先端部押圧機構による前記板状基材の先端に対する押圧操作を制御する制御装置と、
を備えたことを特徴とする板状基材供給装置。
【請求項２】
前記制御装置は、先端が吸着され吊り上げられている前記板状基材の状態が「複数枚取り」の状態でないと判定すると、前記先端部押圧機構による前記板状基材の先端への押圧操作を解除することを特徴とする請求項１記載の板状基材供給装置。
【請求項３】
前記制御装置は、先端が吸着され吊り上げられている前記板状基材の状態が「複数枚取り」の状態であると判定すると、前記先端部押圧機構による前記板状基材の先端への押圧操作を所定回繰り返すことを特徴とする請求項１記載の板状基材供給装置。
【請求項４】
前記先端部押圧機構は、板状基材の先端を押圧する板状基材先端押圧部に樹脂プレートを備えていることを特徴とする請求項１記載の板状基材供給装置。
【請求項５】
前記制御装置は、先端が吸着され吊り上げられている前記板状基材の状態が「複数枚取り」の状態であると判定し、前記先端部押圧機構による前記板状基材の先端への押圧操作を所定回繰り返したときに、前記板状基材の状態が再度「複数枚取り」の状態であると判定すると、エラー出力を行うことを特徴とする請求項１記載の板状基材供給装置。
【発明の詳細な説明】
【技術分野】
【０００１】
本発明は、積層されている複数の板状基材から一枚ずつ板状基材を取り出して供給する板状基材供給装置に関する。 
【背景技術】
【０００２】
従来の板状基材供給装置において積層された板状基材から一枚ずつ板状基材を取り出し搬送供給する場合、確実に一枚ずつ板状基材を供給するためには、最上層にある板状基材を吸着し持ち上げた後、もしくは次工程へ搬送する途中でその板状基材の板厚を計測し、その計測結果をもとに供給される板状基材が一枚であるか否かを検知するようにしている。
しかし、このような板状基材が吸着保持された後、もしくは次工程へ搬送される途中で「複数枚取り」を検知する方式では、検知直前または検知中に、吸着され搬送されている板状基材の状態が変わった場合、例えば吸着されている最上層の板状基材に２枚目の板状基材が貼り付いている「複数枚取り」の状態において、前記２枚目の板状基材が剥離した場合には、剥がれた板材により板状基材供給装置の搬送機構などに不具合を及ぼすことや復帰までのダウンタイムを長くしてしまうなどの問題があった。
【０００３】
このような問題を解消するものとしては、板厚を非接触式センサーおよび接触式センサーにて測定し「複数枚取り」を検知するものがある（特許文献１参照）。
【特許文献１】特開平０９−２６３３３９号公報
【特許文献２】特開平１０−２９３０１２号公報
【発明の開示】
【発明が解決しようとする課題】
【０００４】
しかしながら、上述の方法では基材が板厚以上の不規則なたわみ、歪みを有する場合正確に基材が一枚であるかどうかを検知することが出来ないという課題があった。
【０００５】
本発明は、このような事情に鑑みてなされたものであり、「複数枚取り」を防止し、積み重ねられた板状基材から一枚ずつ板状基材を確実に取り出し搬送供給できる板状基材供給装置を提供することを目的とする。
【課題を解決するための手段】
【０００６】
上述の目的を達成するために、本発明にかかる板状基材供給装置は、積み重ねられた複数の板状基材の最上部の板状基材に対し上方から吸着して吊り上げ、搬送供給する板状基材供給装置であって、前記板状基材の先端の少なくとも一箇所以上を吸着し吊り上げる先端部吸着吊り上げ機構と、前記先端部吸着吊り上げ機構により吊り上げられた前記板状基材の先端を押圧する先端部押圧機構と、前記先端部吸着吊り上げ機構により吊り上げられた前記板状基材の先端を前記先端部押圧機構により押圧したときの反発力をもとに、先端が吸着され吊り上げられている前記板状基材の状態が「複数枚取り」の状態であるか否かを判定し、前記判定結果に応じ、前記先端部押圧機構による前記板状基材の先端に対する押圧操作を制御する制御装置とを備えたことを特徴とする。
【発明の効果】
【０００７】
本発明によれば、「複数枚取り」を防ぎ確実に次工程へ一枚ずつ板状基材を供給でき、また、保持枚数を一枚と検知したときには板状基材先端の押し圧を解除し基材への負荷を最小限に抑えることが可能であり、また、「複数枚取り」の状態を検知したときは押圧リトライ、エラー発信を行うことで板状基材の供給に際してのダウンタイムを抑制できる板状基材供給装置を提供できる効果がある。
【発明を実施するための最良の形態】
【０００８】
以下、本発明の実施の形態について図面を参照して説明する。
図１は、本実施の形態の板状基材供給装置の要部構成の一例を示す全体図である。図２は、本実施の形態の板状基材供給装置の動作を例示した説明図である。また、図３は本実施の形態の板状基材供給装置の動作を示すフローチャートである。
【０００９】
図1に示すように、この実施の形態の板状基材供給装置においては、基材搬送フレーム１４に取付けられた基材昇降手段としてのシリンダ４と吸着手段としてのパッド５と基材のズレ及び浮上り防止手段としてのシリンダ７、シリンダ４の上昇と同時に板状基材の先端部を板状基材の下方内側へ押圧するレバー２、板状基材先端部の押圧解除、及び保持している板状基材の複数枚取り検知器用としてのシリンダ１およびシリンダスイッチ３とを有しておりリフター１５上に段積みされた板状基材８の搬送供給を行うものである。レバー２における板状基材の先端を押圧する板状基材先端押圧部には樹脂プレート６が取り付けられている。
また、段積みされた板状基材群８の最上部の板状基材をパッド５により吸着するための負圧発生手段として真空ポンプ１３を備えている。また、シリンダ１、シリンダ７およびシリンダ４に対し圧搾空気を供給するコンプレッサ９およびレギュレータ１０と、シリンダ１、シリンダ７およびシリンダ４に対する圧搾空気の供給を制御するための電磁弁１２と、電磁弁１２を制御するための制御装置１１とを備えている。
【００１０】
次に動作について説明する。
図２（ａ）および図３のフローチャートに示すように、シリンダ４を下降させパッド５により最上部の板状基材を吸着すると共にシリンダ７を下降させ段積みされた板状基材を吸着パッド７Ａを介して上部より押圧する。そして、図２（ｂ）に示すようにシリンダ４を上昇させると同時にリンク機構によりレバー２が板状基材の先端部を下方内側へ押圧する。この際、図２（ｃ）、（ｄ）に示すように最上部の板状基材の裏側に張り付いている板状基材を剥離すると共にシリンダスイッチ３にて保持枚数が一枚、つまりスイッチオンの状態のままであることを検知して、制御装置１１によりシリンダ１を引き戻すことによって板状基材の先端部の押圧を開放し、シリンダ７を上昇させ板状基材全体を吊り上げ搬送する。
【００１１】
また、板状基材の先端部の押圧の際、吸着保持枚数が複数枚、つまり板状基材の反力に押し戻されシリンダスイッチ３がオフの状態であると制御装置１１が検知すると、制御装置１１はシリンダ７を上昇させる前にシリンダ１もしくはシリンダ４を押し引きすることにより板状基材の先端部を所定回数、繰り返し押圧し、剥離のリトライを行い、それでも「複数枚取り」の状態が解除しない、すなわち吸着保持された最上部の板状基材の裏側に張り付いている板状基材を剥離できない場合は動作をストップさせエラーの発信を行う。なお、シリンダ１の押出力はレギュレータ１０により吸着保持枚数が２枚であるとぎりぎりシャフトを伸ばしきれないように調整を行なっておく。これらの動作、制御によって段積みされた板状基材は確実に一枚ずつ次工程へ搬送される。
【００１２】
なお、以上の説明は本発明の実施の一形態に過ぎず、本発明はその特許請求の範囲を逸脱しない範囲内において設計変更等の変形例を含むものである。
例えば基材複数枚取りの検出方法はエアーシリンダの反発力を用いたものに限らずスプリングを代用することや歪みゲージ、圧力計を用い直接、板状基材の先端部の反力を測定することを含むことである。
【００１３】
以上説明したように、本実施の形態によれば、吸着保持枚数を一枚と検知したときには板状基材先端部の押圧を解除し板状基材への負荷を最小限に抑えることが可能であり、また、「複数枚取り」の状態を検知したときは押圧リトライ、エラー発信を行うことが可能であり、「複数枚取り」を防ぎ確実に次工程へ一枚ずつ板状基材を供給でき、板状基材の供給に際してのダウンタイムを抑制できる板状基材供給装置を提供できる効果がある。
【図面の簡単な説明】
【００１４】
【図１】本発明の実施の形態の板状基材供給装置の要部構成の一例を示す全体図である。
【図２】本発明の実施の形態の板状基材供給装置の動作を例示した説明図である。
【図３】本発明の実施の形態の板状基材供給装置の動作を示すフローチャートである。
【符号の説明】
【００１５】
１……シリンダ（先端部押圧機構）、４……シリンダ（先端部吸着吊り上げ機構）、２……レバー（先端部押圧機構）、３……シリンダスイッチ、５……パッド（先端部吸着吊り上げ機構）、６……樹脂プレート（先端部押圧機構）、８……板状基材、１１……制御装置、１２……電磁弁。
【図１】
2007238186.tif 000003
【図２】
2007238186.tif 000004
【図３】
2007238186.tif 000005